(57)【要約】【課題】給水装置から供給された水を動物が飲水でき、かつ該水の侵入を防止する動物飼育ケージを提供する。【解決手段】動物飼育ケージ１において、ケージ本体２の側面４が、ケージ本体２の底面３に対し鈍角をなす傾斜面を有し、前記傾斜面に設けた貫通孔１３に金属製のグロメット１４が装着され、グロメット１４に飲水孔１７が設けられている。【選択図】図１
0003203569.tif 000002
【実用新案登録請求の範囲】
【請求項１】
ケージ本体の側面が、ケージ本体の底面に対し鈍角をなす傾斜面を有し、前記傾斜面に設けた貫通孔に金属製のグロメットが装着され、グロメットに飲水孔が設けられている、動物飼育ケージ。
【請求項２】
前記飲水孔が、略十字形又は直線形であり、前記直線形の場合の飲水孔の長手方向がケージ本体の水平方向に一致する請求項１に記載の動物飼育ケージ。
【請求項３】
前記傾斜面が、前記側面全体を構成する請求項１又は２に記載の動物飼育ケージ。
【請求項４】
前記側面が、底面と連続して底面に対して鈍角をなして延びる前記傾斜面と、前記傾斜面と連続して前記傾斜面における前記底面とは反対側からケージ本体の外方に向かってケージ本体の略水平方向に延びる第１面と、前記第１面と連続して前記第１面における前記傾斜面とは反対側からケージ本体の上端まで延びる第２面とを有する請求項１又は２に記載の動物飼育ケージ。
【請求項５】
前記側面が、底面と連続し底面に対して略垂直に延びる第１面と、前記第１面と連続して前記１面における前記底面とは反対側から底面に対して鈍角をなして延びる前記傾斜面と、前記傾斜面と連続して前記傾斜面における前記第１面とは反対側からケージ本体の上端まで延びる第２面とを有する請求項１又は２に記載の動物飼育ケージ。
【請求項６】
前記グロメットは複数のグロメットからなり、隣接する２つのグロメットが、前記側面と前記側面に対応する側面との間に架設された隔壁により仕切られている請求項１〜５のいずれか一項に記載の動物飼育ケージ。
【請求項７】
請求項１〜６のいずれか一項に記載の動物飼育ケージと、給水ノズルを備えた給水装置とからなる動物給水システムであって、給水ノズルの先端開口が動物飼育ケージの外であって、かつ動物が飲水できる距離に配置されている、動物給水システム。
【考案の詳細な説明】
【技術分野】
【０００１】
本考案は、動物飼育ケージに関する。
【背景技術】
【０００２】
マウス、ラット、モルモット等の実験動物を飼育するための動物飼育ケージとして、従来は図９に示すような金属網で形成された網ケージ１００や、図１０に示すような、合成樹脂より形成された平面視略矩形で有底のケージ本体１１１、ケージ本体１１１の上に装着される金網でできたケージ蓋１１５とを備えた樹脂成型ケージ１１０が使用されていた。
【０００３】
図９に示すような従来技術の網ケージ１００を使用する場合、実験動物に給水するための自動給水装置１０４の給水パイプ１０５から延びる給水ノズル１０６の先端開口１０７を、網ケージ１００の内部に突出させ、実験動物は、給水装置１０４から給水ノズル１０６を経て供給された水を、網ケージ１００の内部にある先端開口１０７から摂取する。
【０００４】
しかし、図９に示すような網ケージ１００は、足場が不安定であるため、実験動物の飼育により適した飼育環境の要求に基づき、現在ではほとんど使用されなくなっている。
【０００５】
図１０に示す従来技術の樹脂成型ケージ１１０の場合、通常、給水瓶１１２の供給ノズル１１３をケージ蓋１１５の金網の間に挿入して、実験動物は、樹脂成型ケージ１１０の内部にある給水ノズル１１３の先端開口１１４から水を摂取する。
【０００６】
しかし、図１０に示すような有底の樹脂成型ケージ１１０では、樹脂成型ケージ１１０の内部で給水される構成となっているため、実験動物が飲水するときに給水ノズル１１３の先端開口１１４から水がこぼれ、樹脂成型ケージ１１０内に水が溜まることがある。樹脂成型ケージ１１０内に水が溜まると、床敷であるおが屑や紙くず等が湿気たり、時には動物が樹脂成型ケージ１１０内が浸水し、更には溺れる場合があるという問題があった。
【考案の概要】
【考案が解決しようとする課題】
【０００７】
本考案は、上記問題を解決するためになされたものであって、動物飼育ケージへの飲水の侵入を防止した動物飼育ケージを提供することを目的とする。
【課題を解決するための手段】
【０００８】
本考案の上記目的は、動物飼育ケージの側面の全部または一部をケージ本体の底面に対し鈍角をなす傾斜面とし、該傾斜面に貫通孔を設け、該貫通孔に、飲水孔を設けたグロメットを装着した動物飼育ケージにより達成される。
【０００９】
本考案は以下の通りである。
【００１０】
項１．ケージ本体の側面が、ケージ本体の底面に対し鈍角をなす傾斜面を有し、前記傾斜面に設けた貫通孔に金属製のグロメットが装着され、グロメットに飲水孔が設けられている、動物飼育ケージ。
【００１１】
項２．前記飲水孔が、略十字形又は直線形であり、前記直線形の場合の飲水孔の長手方向がケージ本体の水平方向に一致する項１に記載の動物飼育ケージ。
【００１２】
項３．前記傾斜面が、前記側面全体を構成する項１又は２に記載の動物飼育ケージ。
【００１３】
項４．前記側面が、底面と連続して底面に対して鈍角をなして延びる前記傾斜面と、前記傾斜面と連続して前記傾斜面における前記底面とは反対側からケージ本体の外方に向かってケージ本体の略水平方向に延びる第１面と、前記第１面と連続して前記第１面における前記傾斜面とは反対側からケージ本体の上端まで延びる第２面とを有する項１又は２に記載の動物飼育ケージ。
【００１４】
項５．前記側面が、底面と連続し底面に対して略垂直に延びる第１面と、前記第１面と連続して前記１面における前記底面とは反対側から底面に対して鈍角をなして延びる前記傾斜面と、前記傾斜面と連続して前記傾斜面における前記第１面とは反対側からケージ本体の上端まで延びる第２面とを有する項１又は２に記載の動物飼育ケージ。
【００１５】
項６．前記グロメットは複数のグロメットからなり、隣接する２つのグロメットが、前記側面と前記側面に対応する側面との間に架設された隔壁により仕切られている項１〜５のいずれか一項に記載の動物飼育ケージ。
【００１６】
項７．項１〜６のいずれか一項に記載の動物飼育ケージと、給水ノズルを備えた給水装置とからなる動物給水システムであって、給水ノズルの先端開口が動物飼育ケージの外であって、かつ動物が飲水できる距離に配置されている、動物給水システム。
【考案の効果】
【００１７】
本考案の動物飼育ケージによれば、給水装置から供給された水を動物が飲水でき、かつかかる水の動物飼育ケージへの侵入を防止することができる。
【図面の簡単な説明】
【００１８】
【図１】本考案の第１実施形態に係る動物飼育ケージの略斜視図である。
【図２】図１の動物飼育ケージの給水装置との関係を示す部分拡大略側断面図である。
【図３】（Ａ）グロメット本体を示す正面図、（Ｂ）図３（Ａ）のＡ−Ａ線における断面図、（Ｃ）図３（Ａ）のＢ−Ｂ線における断面図である。
【図４】（Ａ）グロメットリングを示す正面図、（Ｂ）図４（Ａ）のＣ−Ｃ線における断面図である。
【図５】本考案の第２実施形態に係る動物飼育ケージの略斜視図である。
【図６】本考案の第３実施形態に係る動物飼育ケージの略斜視図である。
【図７】グロメット本体の別例を示す正面図。
【図８】本考案の第４実施形態に係る動物飼育ケージの略斜視図である。
【図９】従来技術の動物飼育ケージの略斜視図である。
【図１０】従来技術の動物飼育ケージの略斜視図である。
【考案を実施するための形態】
【００１９】
以下、本考案の実施形態に係る動物飼育ケージについて、図面を参照しながら説明する。
【００２０】
図１は、第１実施形態に係る動物飼育ケージ１である。動物飼育ケージ１にて飼育される動物としては、マウス、ハムスター、ラット、モルモット、ウサギ、犬、猫、小型ザル等の動物、特には実験動物が含まれる。動物には成体および幼若のどちらの場合も含まれる。
【００２１】
第１実施形態に係る動物飼育ケージ１は、合成樹脂製のケージ本体２を備え、ケージ本体２は底面３と、底面３と連続して立設された４つの側面４，５，６，７とを備え、４つの側面４，５，６，７の上端は環状の縁部８にて終端する。縁部８からは非図示のケージ蓋と係合するための上端エッジ９が立設されている。底面３および４つの側面４，５，６，７は動物を収容するための空間１０を区画形成する。
【００２２】
ケージ本体１の側面５，７の長手方向における上部中央部分であって、かつ縁部８の下にはそれぞれ２つの突起１１が設けており、これは動物飼育ケージ１の使用者が、動物飼育ケージ１を運搬するときに２つの突起１１の間に指を入れて縁部８を下方から押圧するよう動物飼育ケージ１を持ち上げて、動物飼育ケージ１の運搬を容易にする把持部として機能する。また、ケージ本体１の上端部の四隅には別の突起１２が設けられているが、これは複数の動物飼育ケージ１を積み重ねるときに、互いの動物飼育ケージ１の取り外しを容易する緩衝部として機能する。
【００２３】
ケージ本体２を構成する側面のうちの一つである側面４は、図２に示すように、ケージ本体２の底面３に対する角度θが鈍角をなす傾斜面である。θの角度は特に限定されないが、例えば９０°＜θ≦１３５°である。つまり、ケージ本体２を平面視した場合、ケージ本体２の横断面は底面３に向かうにつれて低減している。
【００２４】
図１及び図２に示すように、側面４に設けられた略円形の貫通孔１３には金属製のグロメット１４が装着され、グロメット１４には、ケージ本体２内の飼育動物がケージ本体２の外側の給水装置３０から供給された水を摂取するための飲水孔１７が設けられている。グロメット１４には、飲水孔１７を開閉させる部材は装着されておらず、飲水孔１７は常に開放された状態にある。
【００２５】
図３（Ａ）により詳しく示すように、本実施形態では飲水孔１７は略十字形であり、動物の体が必要以上に動物飼育ケージ１から外に突出するのを防止する形状となっている。飲水孔１７の寸法は、動物の口の周囲の寸法に合わせて当業者には適宜設定可能である。グロメット１４が金属製である理由は、動物による噛みつき又は引っかきによる破損を防止するためである。グロメット１４は例えばステンレスから形成される。
【００２６】
図２に示すように、グロメット１４は、グロメット本体１５と略円環状のグロメットリング１６とからなる。図３（Ａ）〜（Ｃ）に示すように、グロメット本体１５は、有底の中空円筒形部１５ａと中空円筒形部１５ａの上端から延出するフランジ１５ｂとを備え、図４（Ａ），（Ｂ）に示すように、グロメットリング１６はグロメット本体１５の中空円筒形部分１５ａが貫通する寸法を有する略円形の開口部１８を備えている。図２に戻り、グロメット本体１５とグロメットリング１６とは、グロメット本体１５が中空円筒形部１５ａの底部からグロメットリング１６の開口部１８に挿通されて嵌合し、グロメット本体１５のフランジ１５ｂの周端部とグロメットリング１６の周端部にてケージ本体２の側面４を両側から挟持する。これにより、グロメット１４は側面４に設けた貫通孔１３に堅固に装着される。
【００２７】
図２に示すように、動物に飲水を供給する場合、給水装置としての自動給水装置３０の近くに動物飼育ケージ１を配置する。自動給水装置３０は給水パイプ３１から延びる１又は複数の給水ノズル３２を有し、給水ノズル３２の先端開口３３から水が供給される。ここで、本考案の動物飼育ケージ１を用いた場合、自動給水装置３０の給水ノズル３２の先端開口３３は、動物飼育ケージ１の外であって、動物飼育ケージから離間させ、かつ動物が飲水できる距離に配置する。動物は、グロメット１４に設けられた飲水孔１７を介して口先を動物飼育ケージ１の外に出すことができ、口先で給水ノズル３２の先端開口３３を押圧することにより水を放出させる。
【００２８】
本考案の動物飼育ケージ１では、側面４が底面３に対して鈍角をなして傾斜しているため、給水ノズル３２の先端開口３３の位置から垂直下方に向けて、動物飼育ケージ１は自動給水装置３０から離れる。このため、動物が飲水した時などに水滴３４等の水がこぼれても、かかる水は動物飼育ケージ１の外で垂直下方に向けて落下し、動物飼育ケージ１内への水の侵入が防止される。動物飼育ケージ１内への水の侵入が防止されると、動物飼育ケージ１内の床敷であるおが屑や紙くず等の浸水や、小動物や動物の子が溺れるのを防止することができ、動物にとってより快適な飼育環境が保たれる。
【００２９】
また、グロメット１４のグロメット本体１５の高さｄが大きいほど、ケージ本体２内への水の侵入がより効果的に抑制される。
【００３０】
このように、本考案の動物飼育ケージ１によれば、自動給水装置３０から供給された水を動物が飲水でき、かつ水の動物飼育ケージ１内への侵入を防止することができる。
【００３１】
以上、本考案の第１実施形態の動物飼育ケージ１について説明したが、本考案は上記第１実施形態に限定されるものではなく、本考案の趣旨を逸脱しない限りにおいて種々の変更が可能であり、以下のような変更も考えられる。
【００３２】
○第１実施形態におけるケージ本体２の上端エッジ９、突起１１、及び突起１２は他の形状を取ってもよいし、省略されてもよい。
【００３３】
○第１実施形態におけるグロメット１４は、グロメット本体１５とグロメットリング１6とが別部材の代わりに一体的に形成されたものであってもよい。
【００３４】
○第１実施形態では、ケージ本体２の側面４の全体が一つの傾斜面を構成したが、側面４の一部が傾斜面を構成してもよい。
【００３５】
例えば、図５は本考案の第２実施形態に係る動物飼育ケージ１’の略斜視図であるが、側面４が、底面３と連続して底面３に対して鈍角をなして延びる前記傾斜面４ａと、傾斜面４ａと連続して傾斜面４ａにおける底面３とは反対側からケージ本体２の外方に向かってケージ本体２の略水平方向に延びる第１面４ｂと、第１面４ｂと連続して第１面４ｂにおける傾斜面４ａとは反対側からケージ本体２の上端まで延びる第２面４ｃとを有する。傾斜面４ａには、貫通孔１３と、貫通孔１３に嵌め付けられたグロメット１４とが設けられている。自動給水装置３０は第１面４ｂの下の空間に配置される。このような場合でも、ため、自動給水装置３０から供給された水を動物が飲水でき、かつ水の動物飼育ケージ１’内への侵入を防止することができる。
【００３６】
また、図６は本考案の第３実施形態に係る動物飼育ケージ１”の略斜視図であるが、側面４が、底面３と連続し底面に対して略垂直に延びる第１面４ｄと、前記第１面４ｄと連続して前記１面４ｄにおける前記底面３とは反対側から底面３に対して鈍角をなして延びる傾斜面４ｅと、傾斜面４ｅと連続して傾斜面４ａにおける第１面４ｄとは反対側からケージ本体２の上端まで延びる第２面４ｆとを有する。傾斜面４ｅには、貫通孔１３と、貫通孔１３に嵌め付けられたグロメット１４とが設けられている。自動給水装置３０は傾斜部４ｅの下の空間に配置される。このような場合でも、自動給水装置３０から供給された水を動物が飲水でき、かつ水の動物飼育ケージ１”内への侵入を防止することができる。第３実施形態では、給水ノズル３２の先端開口３３が水平よりも上方を向いているため、水の動物飼育ケージ１”内への侵入をより効果的に防止することができる。ここで、「傾斜面４ｅが底面３に対して鈍角をなす」とは、前記傾斜面４ｅを傾斜面４ｅの面に沿って延長したときに、傾斜面４ｅの延長した面が底面３に対して鈍角をなすことを指す。
【００３７】
○飲水孔１７は略十字形以外の形状であってもよい。例えば図７に示すように、グロメット本体１５の飲水孔１７を直線形とし、飲水孔１７の長手方向がケージ本体２の水平方向に一致するように配置してもよい。
【００３８】
○一つの側面４に複数のグロメット１４が設けられてもよい。例えば図８では、一つの側面４に２つのグロメット１４が互いに間隔を空けて略同じ高さに設けられ、着脱可能な隔壁１９により、各小空間に一つのグロメット１４が存在するように、空間１０が２つの小空間に区切られている。隔壁１９は上端の両側に突出部１９ａを備え、各突出部１９ａがケージ本体２の縁部８に設けられた凹み８ａに係合配置されることで、隔壁１９は側面４と側面４に対向する側面６との間に架設される。また、本実施形態では、ケージ本体２の内部で底面３の中央に、側面４と側面６の間に直線状に延びる２つのガイド部材２０が設けられ、隔壁１９の下端部は２つのガイド部材２０の間に画成された溝に嵌合されている。このため、ケージ本体２の空間１０は上端から下端まで、隔壁１９により仕切られている。なお、この図では、隔壁１９により仕切られた各小空間に実験動物としてのラット２１が収容されている。本実施形態によれば、動物を群飼育から個別飼育にすることができる。
【００３９】
○給水装置は、自動給水装置３０に限らず、給水瓶等の手動の給水装置であってもよい。
【００４０】
本考案には、上記に説明してきた本考案の動物飼育ケージと、給水ノズル３３を備えた給水装置とからなる動物給水システムであって、給水ノズル３３の先端開口３２が動物飼育ケージ２の外であって、かつ動物が飲水できる距離に配置されている、動物給水システムも含まれる。
【符号の説明】
【００４１】
１，１’，１”…動物飼育ケージ
２…ケージ本体
３…底面
４…側面
４ａ，４ｅ…傾斜面
４ｂ…ケージ本体２の略水平方向に延びる第１面
４ｃ，４ｆ…ケージ本体２の上端まで延びる第２面
４ｄ…底面３に対して略垂直に延びる第１面
１３…貫通孔
１４…グロメット
１７…飲水孔
１９…隔壁
３０…給水装置としての自動給水装置
３２…給水ノズル
３３…先端開口
【図１】
0003203569.tif 000003
【図２】
0003203569.tif 000004
【図３】
0003203569.tif 000005
【図４】
0003203569.tif 000006
【図５】
0003203569.tif 000007
【図６】
0003203569.tif 000008
【図７】
0003203569.tif 000009
【図８】
0003203569.tif 000010
【図９】
0003203569.tif 000011
【図１０】
0003203569.tif 000012